(57)【特許請求の範囲】
【請求項１】
内部に収容空間を有する支持体と、
前記収容空間に突出部を有し、前記支持体の外側から前記収容空間に設けられた孔部に前記突出部が挿入されることによって前記支持体の外側で前記支持体に係合される取り付け体と、
回転軸、前記回転軸の一端で前記突出部に接触して前記係合を解除する押圧部、前記回転軸の他端で回転操作する操作部を有し、前記支持体に回転可能に取り付けられたレバー部材と、を備えた、
ことを特徴とする着脱機構。
【請求項２】
前記レバー部材が、前記突出部が挿入される前記孔部から離れる方向に付勢する弾性部を有する、
ことを特徴とする請求項１に記載の着脱機構。
【請求項３】
前記弾性部は、前記レバー部材と同一材料で一体として形成されている、
ことを特徴とする請求項２に記載の着脱機構。
【請求項４】
前記支持体に着脱自在に装着され前記収容空間を開放する開放位置と前記収容空間を閉塞する閉塞位置との間で移動可能な蓋体と、
前記蓋体にスライド可能且つ回転可能に取り付けられ、前記閉塞位置で前記蓋体をロックし、且つ前記開放位置で前記蓋体から外側に突出するように回転操作可能なロック部材と、を備えた、
ことを特徴とする請求項１ないし３のいずれか１項に記載の着脱機構。
【請求項５】
前記ロック部材はスライド方向と交差する方向に突出した支持軸を有し、前記蓋体の内側には、前記支持軸を保持する保持部が形成され、前記ロック部材が前記開放位置にスライドする際は、前記支持軸が前記保持部の壁面に当接することにより前記ロック部材のスライド方向の移動が規制されて前記支持軸を回転中心にして回転操作される、
ことを特徴とする請求項４に記載の着脱機構。
【請求項６】
前記支持軸の一端側に先端部に向けて薄くなるように傾斜したテーパ部が形成され、前記蓋体の内側には前記ロック部材のスライド方向と交差する方向に突出した突起部が設けられ、前記ロック部材が前記閉塞位置にスライドする際に前記テーパ部と前記突起部が当接して前記蓋体が前記支持体に押圧される、
ことを特徴とする請求項５に記載の着脱機構。
【請求項７】
前記蓋体に前記ロック部材を収納する凹部が形成され、前記ロック部材は、前記蓋体をロックする位置で前記凹部を覆い前記蓋体の外面と合わさる外面部を有する、
ことを特徴とする請求項４ないし６のいずれか１項に記載の着脱機構。
【請求項８】
前記支持体に装着された前記蓋体を、施錠された状態で前記支持体からの離脱を阻止し、開錠された状態で前記支持体からの離脱を可能とする施錠手段を備えた、
ことを特徴とする請求項４ないし７のいずれか１項に記載の着脱機構。
【請求項９】
前記施錠手段はケンジントンロックである、
ことを特徴とする請求項８に記載の着脱機構。
【請求項１０】
記録媒体を収容して送り出す給紙手段と、
像保持体とトナー像を形成する現像装置を含んでトナー像が形成される像形成ユニットと、
前記トナー像を前記記録媒体に転写する転写手段と、
前記転写手段によって前記記録媒体に転写された画像を定着させる定着手段と、
請求項１ないし９のいずれか１項に記載の着脱機構に収容された制御装置と、を含む、
ことを特徴とする画像形成装置。
【発明の詳細な説明】
【技術分野】
【０００１】
本発明は、着脱機構及び画像形成装置に関する。
【背景技術】
【０００２】
電子機器ユニットに備えられたホルダーと、各ホルダーにおいて、弾性部材により第２の位置に付勢されつつ第１の位置と第２の位置との間で移動可能に設けられると共に、第１の位置においてホルダーを閉蓋するカバーとして機能し、第２の位置において電子機器を筐体から引き出す把持部として機能するレバー部材と、各レバー部材に弾性変形可能に形成された第１の係合部と、各ホルダーに形成され、対応する第１の係合部と係合することにより、レバー部材を第１の位置に係止する第２の係合部と、各レバー部材に形成された係止部と、筐体に形成され、レバー部材の第１の位置で前記係止部に係止し、電子機器ユニットが筐体内に装着された際に取り外し方向の移動を規制する規制部材と、ホルダーに操作可能に設けられており、押圧操作されることにより第１の係合部を弾性変形させ、第１の係合部と第２の係合部との係合を解除する操作ボタンと、筐体に設けられ、各操作ボタンの第１、第２の係合部の解除を抑止するロック機構とを設けた電子機器ユニット着脱機構が知られている（特許文献１）。
【先行技術文献】
【特許文献】
【０００３】
【特許文献１】特開２００４−５４９６７号公報
【発明の概要】
【発明が解決しようとする課題】
【０００４】
本発明は、装置本体へ離脱可能に装着された電子機器及びその覆い部材の固定の解除を容易に行うことができる着脱機構及び画像形成装置を提供することを目的とする。
【課題を解決するための手段】
【０００５】
前記課題を解決するために、請求項１に記載の着脱機構は、
内部に収容空間を有する支持体と、
前記収容空間に突出部を有し、前記支持体の外側から前記収容空間に設けられた孔部に前記突出部が挿入されることによって前記支持体の外側で前記支持体に係合される取り付け体と、
回転軸、前記回転軸の一端で前記突出部に接触して前記係合を解除する押圧部、前記回転軸の他端で回転操作する操作部を有し、前記支持体に回転可能に取り付けられたレバー部材と、を備えた、
ことを特徴とする。
【０００６】
請求項２記載の発明は、請求項１に記載の着脱機構において、
前記レバー部材が、前記突出部が挿入される前記孔部から離れる方向に付勢する弾性部を有する、
ことを特徴とする。
【０００７】
請求項３記載の発明は、請求項２に記載の着脱機構において、
前記弾性部は、前記レバー部材と同一材料で一体として形成されている、
ことを特徴とする。
【０００８】
請求項４記載の発明は、請求項１ないし３のいずれか１項に記載の着脱機構において、
前記支持体に着脱自在に装着され前記収容空間を開放する開放位置と前記収容空間を閉塞する閉塞位置との間で移動可能な蓋体と、
前記蓋体にスライド可能且つ回転可能に取り付けられ、前記閉塞位置で前記蓋体をロックし、且つ前記開放位置で前記蓋体から外側に突出するように回転操作可能なロック部材と、を備えた、
ことを特徴とする。
【０００９】
請求項５記載の発明は、請求項４に記載の着脱機構において、
前記ロック部材はスライド方向と交差する方向に突出した支持軸を有し、前記蓋体の内側には、前記支持軸を保持する保持部が形成され、前記ロック部材が前記開放位置にスライドする際は、前記支持軸が前記保持部の壁面に当接することにより前記ロック部材のスライド方向の移動が規制されて前記支持軸を回転中心にして回転操作される、
ことを特徴とする。
【００１０】
請求項６記載の発明は、請求項５に記載の着脱機構において、
前記支持軸の一端側に先端部に向けて薄くなるように傾斜したテーパ部が形成され、前記蓋体の内側には前記ロック部材のスライド方向と交差する方向に突出した突起部が設けられ、前記ロック部材が前記閉塞位置にスライドする際に前記テーパ部と前記突起部が当接して前記蓋体が前記支持体に押圧される、
ことを特徴とする。
【００１１】
請求項７記載の発明は、請求項４ないし６のいずれか１項に記載の着脱機構において、
前記蓋体に前記ロック部材を収納する凹部が形成され、前記ロック部材は、前記蓋体をロックする位置で前記凹部を覆い前記蓋体の外面と合わさる外面部を有する、
ことを特徴とする。
【００１２】
請求項８記載の発明は、請求項４ないし７のいずれか１項に記載の着脱機構において、
前記支持体に装着された前記蓋体を、施錠された状態で前記支持体からの離脱を阻止し、開錠された状態で前記支持体からの離脱を可能とする施錠手段を備えた、
ことを特徴とする。
【００１３】
請求項９記載の発明は、請求項７に記載の着脱機構において、
前記施錠手段はケンジントンロックである、
ことを特徴とする。
【００１４】
前記課題を解決するために、請求項１０に記載の画像形成装置は、
記録媒体を収容して送り出す給紙手段と、
像保持体とトナー像を形成する現像装置を含んでトナー像が形成される像形成ユニットと、
前記トナー像を前記記録媒体に転写する転写手段と、
前記転写手段によって前記記録媒体に転写された画像を定着させる定着手段と、
請求項１ないし９のいずれか１項に記載の着脱機構に収容された制御装置と、を含む、
ことを特徴とする。
【発明の効果】
【００１５】
請求項１ないし３に記載の発明によれば、外側から容易にアクセスできない内側領域の結合を容易に解除することができる。
請求項４及び５に記載の発明によれば、工具を用いることなく覆い部材の固定の解除を容易に行うことができる。
請求項６に記載の発明によれば、蓋体と支持体を密着させることができる。
請求項７に記載の発明によれば、スペースの増加を抑制することができる。
請求項８及び９に記載の発明によれば、盗難を防止することができる。
請求項１０に記載の発明によれば、装置本体の外側へ離脱可能に装着された電子機器及びその覆い部材の固定の解除を容易に行うことができる。
【図面の簡単な説明】
【００１６】
【図１】画像形成装置１の内部構成を示す断面模式図である。
【図２】着脱装置１００が取り付けられた筐体Ｆの斜視図である。
【図３】（ａ）は無線通信装置１５０の装着状態を示す斜視図、（ｂ）は横断面模式図である。
【図４】（ａ）はレバー部材１２０の斜視図、（ｂ）は平面図、（ｃ）は正面図である。
【図５】（ａ）はレバー部材１２０がスナップフィット結合から離れた位置に付勢された状態を示す支持体内部の模式図、（ｂ）はレバー部材１２０がスナップフィット結合から離れた位置に付勢された状態を示す斜視図である。
【図６】（ａ）はレバー部材１２０がスナップフィット結合に接触した状態を示す支持体内部の模式図、（ｂ）はレバー部材１２０がスナップフィット結合に接触した状態を示す支持体内部の斜視図である。
【図７】（ａ）は蓋体１３０がロック部材１４０でロックされた状態を示す斜視図、（ｂ）（ａ）は蓋体１３０がロック部材１４０のロックが解除されて移動可能になった状態を示す斜視図である。
【図８】（ａ）はロック部材１４０の斜視図、（ｂ）は正面図、（ｃ）は平面図である。である。
【図９】（ａ）は蓋体１３０がロック部材１４０でロックされた状態を示す横断面図、（ｂ）は蓋体１３０がロック部材１４０のロックが解除された状態を示す横断面図、（ｃ）は蓋体１３０がロック部材１４０のロックが解除されて移動可能になった状態を示す横断面図である。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１９】
画像形成装置１は、制御装置１０、給紙装置２０、感光体ユニット３０、現像ユニット４０、転写装置５０、定着装置６０を備えて構成されている。画像形成装置１の上面（Ｚ方向）には、画像が記録された用紙Ｐが排出・収容される排出トレイ１ａが形成されている。
【００２０】
制御装置１０は、支持体１１０の内部に収容され、画像形成装置１の動作を制御する画像形成装置制御部１１と、印刷処理要求に応じた画像データを準備するコントローラ部１２、露光装置ＬＨの点灯を制御する露光制御部１３等を有する。
制御装置１０には、無線通信装置１５０が支持体１１０の内側でスナップフィットにより外部に離脱可能に装着されている。
【００２１】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００２２】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により横方向（Ｘ方向）に引き出された後、レジストローラ対２３のニップ部まで搬送される。
給紙装置２０の上方には、第２給紙装置２０Ａが設けられている。第２給紙装置２０Ａは、用紙搬送路２７を介して、用紙引き出し部２５により引き出された用紙Ｐをレジストローラ対２３のニップ部まで搬送する。
【００２３】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２４】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて同様に構成され、それぞれがイエロー（Ｙ）、マゼンタ（Ｍ）、シアン（Ｃ）、黒（Ｋ）のトナー像を形成する。
【００２５】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２６】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２、中間転写ベルト５１上に重畳して転写された各色トナー像を用紙Ｐに一括転写（二次転写）する二次転写ローラ５３から構成されている。
【００２７】
各感光体ユニット３０の感光体ドラム３１に形成された各色トナー像は、画像形成装置制御部１１により制御された所定の転写電圧が印加された一次転写ローラ５２により中間転写ベルト５１上に順次静電転写（一次転写）され、各色トナーが重畳された重畳トナー像が形成される。
【００２８】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、所定の転写電圧が印加され、レジストローラ対２３から送り出され、搬送ガイドにより案内された用紙Ｐに中間転写ベルト５１上の多重トナー像が一括転写される。
【００２９】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００３０】
定着装置６０は、加熱モジュール６１と加圧モジュール６２を有し、加熱モジュール６１と加圧モジュール６２の圧接領域によって定着ニップ部Ｎ（定着領域）が形成される。
【００３１】
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ローラ対６８を介して排出ローラ対６９から画像形成装置１上面の排出トレイ１ａに排出される。
【００３２】
（２）取り付け体の着脱機構
図２は制御装置１０が取り付けられた筐体Ｆの斜視図、図３（ａ）は無線通信装置１５０の装着状態を示す斜視図、（ｂ）は横断面模式図、図４（ａ）はレバー部材１２０の斜視図、（ｂ）は正面図、（ｃ）は平面図、図５（ａ）はレバー部材１２０がスナップフィット結合から離れた位置に付勢された状態を示す支持体内部の模式図、（ｂ）はレバー部材１２０がスナップフィット結合から離れた位置に付勢された状態を示す斜視図、図６（ａ）はレバー部材１２０がスナップフィット結合に接触した状態を示す支持体内部の模式図、（ｂ）はレバー部材１２０がスナップフィット結合に接触した状態を示す支持体内部の斜視図である。
以下、図面を参照しながら取り付け体の着脱機構について説明する。
【００３３】
（２．１）全体構成
図２に示すように、制御装置１０は、支持体１１０に収容されて、装置本体の筐体Ｆの一面側に固定配置されている。
支持体１１０は一面側が開口した収容部Ｓを有し、収容部Ｓに制御装置１０を収容した状態で、開口部１１０ａは、遮蔽板１１１とロック部材１４０を有する蓋体１３０で覆われて遮蔽されている。
【００３４】
支持体１１０の外面１１０ｂの一端には、取り付け体の一例として無線通信装置１５０が外部に離脱可能に装着されている。
図３に示すように無線通信装置１５０は取り付け面１５０ａ側に突出した弾性変形可能（図３（ｂ）中  矢印参照）な係合部１５１を有し、係合部１５１には爪部１５１ａが形成されている。
支持体１１０には、係合部１５１が挿入される係合孔１１２が形成され、無線通信装置１５０は支持体１１０の外側から装着されてスナップフィットにより固定されている。
【００３５】
このように、取り付け体としての無線通信装置１５０は、支持体１１０の内側となる収容部Ｓ内でスナップフィット結合され、支持体１１０の開口部１１０ａは、ネジ止めされて固定された遮蔽板１１１と、ロック部材１４０を有する着脱可能な蓋体１３０で覆われているために、外部からは離脱することができない状態で装着されている。
【００３６】
（２．２）取り付け体の着脱機構
レバー部材１２０は、図４に示すように、回転軸１２２を有する本体部１２１の一端側には無線通信装置１５０の爪部１５１ａに接触してスナップフィット結合を解除する押圧部１２３を有し、本体部１２１の他端側には回転操作する操作部１２４を有する。
本体部１２１の側部には回転軸１２２と押圧部１２３との間に、先端部１２５ａが自由端となり弾性変形可能な弾性部１２５が一体として形成されている。
【００３７】
図５（ａ）に示すように、レバー部材１２０は、支持体１１０及び遮蔽板１１１に回転軸１２２を支持されている。弾性部１２５の先端部１２５ａは、支持体１１０の受け部１１３に接触して押圧部１２３を係合部１５１が挿入される係合孔１１２から離れる方向に付勢している（図５（ａ）中  矢印Ｆ１参照）。
操作部１２４は、支持体１１０の開口部１１０ａの上方（Ｚ方向）を塞ぐ遮蔽板１１１の下端（図４中に破線で図示）からは下方（−Ｚ方向）に位置して、蓋体１３０が支持体１１０の開口部１１０ａの下方（−Ｚ方向）を開放するように取り外された状態で操作可能な状態で露出する（図５（ａ）中  矢印参照）。
【００３８】
図５（ｂ）に示すように、レバー部材１２０は、弾性部１２５の先端部１２５ａが支持体１１０の受け部１１３に接触して押圧部１２３が係合部１５１が挿入される係合孔１１２から離れる方向に付勢されているために、無線通信装置１５０は係合部１５１の爪部１５１ａが支持体１１０の係合孔１１２にスナップフィットで係合して固定されている。
【００３９】
係る状態において、図６に示すように、蓋体１３０が取り外された状態で露出しているレバー部材１２０の操作部１２４を操作して（図６（ａ）中  矢印Ｒ１方向）レバー部材１２０を回転させると、押圧部１２３が係合部１５１の爪部１５１ａを係合孔１１２の内側へ弾性変形させて（図６（ｂ）中  矢印Ｒ２参照）スナップフィット結合が解除される。
その結果、無線通信装置１５０を支持体１１０の外面１１０ｂから離脱させることができるようになる。
【００４０】
（２．３）蓋体の着脱機構
図７（ａ）は蓋体１３０がロック部材１４０でロックされた状態を示す斜視図、（ｂ）（ａ）は蓋体１３０がロック部材１４０のロックが解除されて移動可能になった状態を示す斜視図、図８（ａ）はロック部材１４０の斜視図、（ｂ）は正面図、（ｃ）は平面図、図９（ａ）は蓋体１３０がロック部材１４０でロックされた状態を示す横断面図、（ｂ）は蓋体１３０がロック部材１４０のロックが解除された状態を示す横断面図、（ｃ）は蓋体１３０がロック部材１４０のロックが解除されて移動可能になった状態を示す横断面図である。
以下、図面を参照しながら蓋体１３０の着脱機構について説明する。
【００４１】
制御装置１０を収容した支持体１１０の開口部１１０ａは着脱可能な蓋体１３０で遮蔽され、蓋体１３０は、開口部１１０ａを塞いだ状態でロックされ、スライド操作でロックを解除した際には、外側に突出するように回転操作可能なロック部材１４０を有している。
【００４２】
ロック部材１４０は、図７に示すように、外面部１４１、支持軸１４２、押し上げ部１４３、係合部１４４が一体として形成されている。
外面部１４１は、ロック部材１４０がロック位置で蓋体１３０の凹部１３１に収容された際（図７（ａ）参照）に、蓋体１３０の外面部１３２の一部を形成するように局面形状を有している。
【００４３】
支持軸１４２は、蓋体１３０の内面側に設けられた保持部１３３にスライド可能（図７（ａ）中  矢印Ｒ１参照）且つ回転可能（図７（ａ）中  矢印Ｒ２参照）に取り付けられる。
押し上げ部１４３は傾斜面を有し、ロック位置で蓋体１３０の内面に形成された突起部１３４と接触して押圧力（図９（ａ）中  Ｆ２参照）を受けて蓋体１３０を支持体１１０に密着させて、蓋体１３０の遮蔽機能を増加させる。
【００４４】
このように構成されるロック部材１４０が保持部１３３にスライド可能且つ回転可能に取り付けられた蓋体１３０は、ロック位置で支持体１１０の開口部１１０ａを塞いだ状態で遮蔽する（図９（ａ）参照）。
【００４５】
支持体１１０の開口部１１０ａを開放状態にして、制御装置１０に装着された取り付け体（例えば、メモリ、記憶装置）にアクセスする場合には、図９（ｂ）に示すように、ロック部材１４０を蓋体１３０の移動方向（図７（ａ）中  矢印Ｒ３参照）と交差する方向へスライド操作（図９（ｂ）中  矢印Ｒ１参照）して係合部１４４の係合を解除する。
その後、図９（ｃ）に示すように、ロック部材１４０を蓋体１３０から外側に突出するように回転操作（図９（ｃ）中  矢印Ｒ２参照）してロック部材１４０を把持しながら、蓋体１３０の移動方向（（図９（ｃ）中  矢印Ｒ３参照）に移動させて支持体１１０の開口部１１０ａを開放状態にする。
【００４６】
蓋体１３０の一面には、長孔１３５が形成され、施錠手段の一例としてのケンジントンロック（不図示）のキーが挿入される。ケンジントンロックは支持体１１０に装着された蓋体１３０を、施錠された状態で支持体１１０からの離脱を阻止し、開錠された状態で支持体１１０からの離脱を可能としている。
【符号の説明】
【００４７】
１・・・画像形成装置
１０・・・制御装置
２０・・・給紙装置
３０・・・感光体ユニット
４０・・・現像ユニット
５０・・・転写装置
６０・・・定着装置
１１０・・・支持体
１１０ａ・・・開口部
１１１・・・遮蔽板
１１２・・・係合孔
１１３・・・受け部
１２０・・・レバー部材
１２１・・・本体部
１２２・・・回転軸
１２３・・・押圧部
１２４・・・操作部
１２５・・・弾性部
１３０・・・蓋体
１３１・・・凹部
１３２・・・外面部
１３３・・・保持部
１３４・・・突起部
１３５・・・長孔
１４０・・・ロック部材
１４１・・・外面部
１４２・・・支持軸
１４３・・・押し上げ部 
１４４・・・係合部
１５０・・・無線通信装置
【図１】
0006464809.tif 000002
【図２】
0006464809.tif 000003
【図３】
0006464809.tif 000004
【図４】
0006464809.tif 000005
【図５】
0006464809.tif 000006
【図６】
0006464809.tif 000007
【図７】
0006464809.tif 000008
【図８】
0006464809.tif 000009
【図９】
0006464809.tif 000010